(57)【要約】【課題】ガス貯蔵容器の着脱を容易にする。【解決手段】質量分析装置１は、ガス貯蔵容器Ｇが装着され、保持部で保持されるレギュレータ１１と、レギュレータ１１を介してガス貯蔵容器Ｇ内のガスが供給されるガス導入室５と、レギュレータ１１が測定位置と非測定位置との間で移動するように保持部１２を移動させる移動機構とを備える。【選択図】図１
2019007819.tif 000002
【特許請求の範囲】
【請求項１】
ガス貯蔵容器が装着され、保持部で保持されるレギュレータと、
前記レギュレータを介して前記ガス貯蔵容器内のガスが供給されるガス導入室と、
前記レギュレータが測定位置と非測定位置との間で移動するように前記保持部を移動させる移動機構とを備える分析装置。
【請求項２】
請求項１に記載の分析装置において、
前記測定位置は、前記ガス貯蔵容器が前記分析装置の内部の位置となるレギュレータの位置であり、
前記非測定位置は、前記ガス貯蔵容器の少なくとも一部または全部が前記分析装置の外部に露出するレギュレータの位置である分析装置。
【請求項３】
請求項１に記載の分析装置において、
前記測定位置は、前記レギュレータが前記分析装置の筐体表面に近接した位置であり、
前記非測定位置は、前記ガス貯蔵容器の少なくとも一端が、前記測定位置における位置と比較して前記筐体表面から離れた位置である分析装置。
【請求項４】
請求項１から３までのいずれか一項に記載の分析装置において、
前記移動機構は、前記測定位置と前記非測定位置との間で前記保持部を移動可能に保持するガイドレールを含む分析装置。
【請求項５】
請求項４に記載の分析装置において、
前記ガイドレールは、前記測定位置と前記非測定位置との間で前記保持部を直動可能に保持する分析装置。
【請求項６】
請求項１から３までのいずれか一項に記載の分析装置において、   
前記移動機構は、前記測定位置と前記非測定位置との間で前記保持部を搖動可能に保持するヒンジ機構を含む分析装置。
【請求項７】
請求項１から３までのいずれか一項に記載の分析装置において、
前記移動機構は、ガイドレールおよびヒンジ機構を備え、
前記ガイドレールに保持された前記ヒンジ機構の移動と、前記ヒンジ機構に保持された前記保持部の搖動とにより、前記レギュレータが測定位置と非測定位置との間で移動する分析装置。
【請求項８】
請求項１から７までのいずれか一項に記載の分析装置において、
複数の前記ガス貯蔵容器がそれぞれ装着され、複数の前記保持部でそれぞれ保持される前記レギュレータを複数備え、
前記移動機構は、前記複数の保持部の移動を別々に行う構成である分析装置。
【請求項９】
請求項１から８までのいずれか一項に記載の分析装置において、
質量分析計を備え、
前記ガス導入室は、イオンを制御する電極を備える分析装置。
【発明の詳細な説明】
【技術分野】
【０００１】
本発明は、ガス貯蔵容器が着脱される分析装置に関する。
【背景技術】
【０００２】
従来、質量分析装置等の分析装置では、分析に必要なガスを、分析装置とは別に設置したガスボンベからガス供給管路を介して供給することが行われていた。近年、可搬式の質量分析装置の需要が高まり、特許文献１のガスクロマトグラフ質量分析計のように、ガス貯蔵容器を分析装置に内蔵して使用する分析装置も知られている（特許文献１）。
【先行技術文献】
【特許文献】
【０００３】
【特許文献１】米国特許５３１３０６１号明細書
【発明の概要】
【発明が解決しようとする課題】
【０００４】
しかしながら、特許文献１に記載された分析装置では、ガス貯蔵容器の交換の際、装置内部でガス貯蔵容器を着脱する作業が必要であり、作業性の改善が望まれる。ガス貯蔵容器の着脱作業性の改善はクロマトグラフや質量分析装置に限らず、各種分析装置にも望まれる。
【課題を解決するための手段】
【０００５】
本発明の好ましい実施形態による分析装置は、ガス貯蔵容器が装着され、保持部で保持されるレギュレータと、前記レギュレータを介して前記ガス貯蔵容器内のガスが供給されるガス導入室と、前記レギュレータが測定位置と非測定位置との間で移動するように前記保持部を移動させる移動機構とを備える。
さらに好ましい実施形態では、前記測定位置は、前記ガス貯蔵容器が前記分析装置の内部の位置となるレギュレータの位置であり、前記非測定位置は、前記ガス貯蔵容器の少なくとも一部または全部が前記分析装置の外部に露出するレギュレータの位置である。
さらに好ましい実施形態では、前記測定位置は、前記レギュレータが前記分析装置の筐体表面に近接した位置であり、前記非測定位置は、前記ガス貯蔵容器の少なくとも一端が、前記測定位置における位置と比較して前記筐体表面から離れた位置である。
さらに好ましい実施形態では、前記移動機構は、前記測定位置と前記非測定位置との間で前記保持部を移動可能に保持するガイドレールを含む。
さらに好ましい実施形態では、前記ガイドレールは、前記測定位置と前記非測定位置との間で前記保持部を直動可能に保持する。
さらに好ましい実施形態では、前記移動機構は、前記測定位置と前記非測定位置との間で前記保持部を搖動可能に保持するヒンジ機構を含む。
さらに好ましい実施形態では、前記移動機構は、ガイドレールおよびヒンジ機構を備え、前記ガイドレールに保持された前記ヒンジ機構の移動と、前記ヒンジ機構に保持された前記保持部の搖動とにより、前記レギュレータが測定位置と非測定位置との間で移動する。
さらに好ましい実施形態では、複数の前記ガス貯蔵容器がそれぞれ装着され、複数の前記保持部でそれぞれ保持される前記レギュレータを複数備え、前記移動機構は、前記複数の保持部の移動を別々に行う構成である。
さらに好ましい実施形態では、質量分析計を備え、前記ガス導入室は、イオンを制御する電極を備える。
【発明の効果】
【０００６】
本発明によれば、分析装置のガス貯蔵容器の着脱が容易になる。
【図面の簡単な説明】
【０００７】
【図１】図１は、第１の実施の形態の質量分析装置の概略構成を示す斜視図である。
【図２】図２（Ａ）、（Ｂ）はそれぞれ図１の質量分析装置の格納部を示す正面図であり、（Ａ）はレギュレータが測定位置にある場合を、（Ｂ）はレギュレータが非測定位置にある場合を示す。
【図３】図３は、図２（Ｂ）に示すレギュレータが非測定位置にある場合の格納部の概略構成を示す斜視図である。
【図４】図４（Ａ）、（Ｂ）はそれぞれ第２の実施の形態の質量分析装置の格納部を示す斜視図であり、（Ａ）はレギュレータが測定位置にある場合を、（Ｂ）はレギュレータが非測定位置にある場合を示す。
【図５】図５（Ａ）、（Ｂ）はそれぞれ第２の実施の形態の質量分析装置の格納部を示す断面図であり、（Ａ）はレギュレータが測定位置にある場合を、（Ｂ）はレギュレータが非測定位置にある場合を示す。
【発明を実施するための形態】
【０００８】
以下、図を参照して本発明を質量分析装置に適用した実施の形態について説明する。
【０００９】
−第１の実施の形態−
図１〜図３を参照して第１の実施の形態を説明する。図１は、第１の実施の形態の質量分析装置１の概略構成を示す図である。図２は、質量分析装置１の格納部を示す要部正面図である。図３は格納部の斜視図である。
【００１０】
質量分析装置１は、質量分析計を内蔵する本体１０と、カバー９とを備える。本体１０は、ガス貯蔵容器Ｇのレギュレータ１１ａ，１１ｂを含んで構成される格納部１００と、ガス導入室５と、レギュレータ１１ａ，１１ｂからガス導入室５へガスを供給するガス供給ライン１５ａ，１５ｂとを備える。カバー９は格納部１００を覆う位置に着脱可能に設置される。
【００１１】
ガス導入室５には、ガス貯蔵容器Ｇａ，Ｇｂに貯蔵されたガスがレギュレータ１１ａ，１１ｂで流量制御されガス供給ライン１５ａ，１５ｂを介して供給される。質量分析装置１がイオントラップ型であれば、ガス導入室５には、ガス導入室５の内部のイオンを制御する電極が設けられ、ヘリウムガスやアルゴンガスが導入される。ガス導入室５ではイオン化された試料がトラップされる。したがって、ガス導入室５はイオントラップである。
【００１２】
図１で示された質量分析装置１の例では、格納部１００は、２本のガス貯蔵容器Ｇａ，Ｇｂがそれぞれ装着される２つのレギュレータ１１ａ，１１ｂと、レギュレータ１１ａ，１１ｂを保持する保持部１２ａ，１２ｂ（図２参照）と、保持部１２ａ，１２ｂを移動可能とする移動機構１３ａ，１３ｂ（図２参照）とを備える。例えば、イオントラップ型の質量分析装置１であれば、２本のガス貯蔵容器Ｇからヘリウムおよびアルゴン等の異なるガスがそれぞれガス導入室５に供給される。ガスの種類は適宜選択することができる。
なお、格納部１００のレギュレータ１１ａ，１１ｂ、すなわちガス貯蔵容器Ｇａ，Ｇｂの個数は特に限定されず、１本でもよく、３本以上でもよい。
【００１３】
上述したように、本実施の形態の質量分析装置１の格納部１００は、ガス貯蔵容器Ｇａ，Ｇｂを交換等する際にガス貯蔵容器Ｇａ，Ｇｂの着脱を容易にするよう、レギュレータ１１ａ，１１ｂ、すなわち図３で後述する保持部１２ａ，１２ｂを移動させる移動機構１３ａ，１３ｂを備える。レギュレータ１１ａ，１１ｂは移動機構１３ａ，１３ｂにより以下で説明する測定位置Ｐ１と非測定位置Ｐ２との間で移動可能である。
測定位置Ｐ１は、ガス貯蔵容器Ｇａ，Ｇｂに貯蔵されたガスがガス導入室５に供給され、分析のための測定等が行われる際のレギュレータ１１ａ，１１ｂの位置である。非測定位置Ｐ２は、ガス貯蔵容器Ｇａ，Ｇｂの着脱の際にレギュレータ１１ａ，１１ｂが移動する位置である。
【００１４】
図２（Ａ）は、レギュレータ１１ａ，１１ｂが測定位置Ｐ１に位置している場合の格納部１００の概略構成を示す正面図である。格納部１００は、ガイドレール１３ａ，１３ｂを含んで構成される。ガス貯蔵容器Ｇａ，Ｇｂがそれぞれ装着されたレギュレータ１１ａ，１１ｂはレギュレータ保持部１２ａ，１２ｂに保持されている。レギュレータ保持部１２ａ，１２ｂはガイドレール１３ａ，１３ｂに移動可能に設けられている。本実施の形態では、ガイドレール１３ａ，１３ｂは移動機構を構成する。この移動機構には符号１３を付して説明する。
【００１５】
レギュレータ１１ａ，１１ｂが測定位置Ｐ１と非測定位置Ｐ２との間で移動するように、レギュレータ保持部１２ａ，１２ｂをガイドレール１３ａ，１３ｂで案内しつつ移動させる。ガイドレール１３ａ，１３ｂはレギュレータ１１ａ，１１ｂのそれぞれに対して配置され、２つのレギュレータ保持部１２ａ，１２ｂのそれぞれは対応するガイドレール１３ａ，１３ｂに沿って個別に移動可能とされている。
【００１６】
図３を参照して保持部１２ａ，１２ｂを詳細に説明する。図３は、非測定位置Ｐ２にレギュレータ１１ａが位置する格納部１００を示す斜視図である。図３に示されているように、保持部１２ａ、１２ｂは、それぞれガイドレール１３ａ、１３ｂに連結されている移動式の板状スライド板１２１ａ、１２１ｂと、レギュレータ１１ａ、１１ｂをそれぞれ保持する基部１２２ａ、１２２ｂとを備えている。保持部１２ａ、１２ｂは、スライド板１２１ａ、１２１ｂがガイドレール１３ａ、１３ｂに沿って移動することによりガイドレール１３ａ、１３ｂ上をそれぞれ移動する。
なお、保持部１２ａ、１２ｂはレギュレータ１１ａ、１１ｂを保持し、ガイドレール１３ａ、１３ｂに案内されて移動するように構成されるものであれば実施の形態の構造に特に限定されない。
【００１７】
上述のとおり、レギュレータ保持部１２ａ，１２ｂは、レギュレータ１１ａ，１１ｂをそれぞれ保持する。レギュレータ保持部１２ａ，１２ｂは、それぞれガイドレール１３ａ，１３ｂ上を移動可能に配置されている。ガイドレール１３ａ，１３ｂは、上面視で並列に配置され、レギュレータ保持部１２ａ，１２ｂを直動可能に保持する。レギュレータ１１ａ，１１ｂの非測定位置Ｐ２への移動方向側の端面には、図示しないガス導入ポートが設けられ、このガス導入ポートにはガス貯蔵容器装着用の雌ネジ部が形成されている。ガス導入ポートの雌ネジ部には、ガス貯蔵容器Ｇａ，Ｇｂが測定位置への移動方向と同じ方向にねじ込まれて装着される。ガス貯蔵容器Ｇａ，Ｇｂは細長い筒状であり、その軸心はガイドレール１３ａ，１３ｂの延在方向に一致している。
【００１８】
なお、ガイドレール１３ａ、１３ｂの態様およびレギュレータ１１ａ、１１ｂの移動の態様は特に限定されず、ガイドレール１３ａ，１３ｂは任意の曲線に沿って配置されてもよい。したがって、ガス貯蔵容器Ｇａ，Ｇｂの軸心がガイドレール１３ａ，１３ｂの延在方向に一致することは必須ではない。
【００１９】
図２（Ｂ）は、レギュレータ１１ａが非測定位置Ｐ２にある場合の格納部１００の概略構成を示す正面図である。図２（Ｂ）は、図２（Ａ）においてレギュレータ１１ａが測定位置Ｐ１にある状態から、ユーザがガイドレール１３ａに沿ってレギュレータ１１ａ、レギュレータ保持部１２ａ、およびガス貯蔵容器Ｇａを移動させ、レギュレータ１１ａを非測定位置Ｐ２まで移動させた後の状態を示している。
なお、レギュレータ１１の移動は、手動でもよいし、自動でもよい。
【００２０】
図２（Ａ）では、カバー９が省略されているが、質量分析装置１で試料分析を行うときはカバー９が格納部１００を覆う。レギュレータ１１ａが測定位置Ｐ１に位置するとき、ガス貯蔵容器Ｇａは、質量分析装置１の内部、すなわち、カバー９の内側に位置する。換言すると、レギュレータ１１を測定位置Ｐ１に位置させたとき、ガス貯蔵容器Ｇａは質量分析装置１の外部に露出しない。
図２（Ｂ）に示されるように、ガス貯蔵容器Ｇａを交換するためにカバー９を取り外してレギュレータ１１ａを非測定位置Ｐ２に移動させる。このとき、ガス貯蔵容器Ｇａは、少なくとも一部、または全部が質量分析装置１の外部に露出する。
【００２１】
このようにガス貯蔵容器Ｇａの着脱は、ガス貯蔵容器Ｇａを外部に露出する位置まで移動させ、すなわち、レギュレータ１１ａを非測定位置Ｐ２まで移動させて行われる。非測定位置Ｐ２にレギュレータ１１ａを位置させてガス貯蔵容器Ｇａを着脱することで、ガス貯蔵容器Ｇａの着脱が容易となる。特に、ガス貯蔵容器Ｇａがねじ込み式の場合、レギュレータ１１ａが非測定位置Ｐ２にあるとき、図２（Ｂ）のようにガス貯蔵容器Ｇａの長軸に沿った一部の周囲、すなわちガス貯蔵容器Ｇａの一端側の部位が質量分析装置１の外部に露出する。このガス貯蔵容器Ｇａの露出部位を作業者が把持しガス貯蔵容器Ｇａを回転させてガス貯蔵容器Ｇａをレギュレータ１１ａに対して着脱する。すなわち、第１の実施の形態では、質量分析装置１の外部にガス貯蔵容器Ｇａの少なくとも一部が露出するようにしたので、ガス貯蔵容器Ｇａの着脱作業空間を広く確保でき、作業性が向上する。
【００２２】
上述の第１の実施の形態の質量分析装置によれば、次の作用効果が得られる。
（１）本実施形態の質量分析装置１は、レギュレータ１１ａ、１１ｂが測定位置Ｐ１と非測定位置Ｐ２との間で移動するように保持部１２ａ，１２ｂを移動させる移動機構としてのガイドレール１３ａ，１３ｂを備える。これにより、レギュレータ１１ａ，１１ｂを非測定位置Ｐ２に移動させてガス貯蔵容器Ｇａ，Ｇｂの着脱を行うことができ、着脱が容易になる。換言すると、ガス貯蔵容器Ｇａ，Ｇｂの着脱作業性が向上する。
【００２３】
（２）本実施形態の質量分析装置１において、測定位置Ｐ１はガス貯蔵容器Ｇａ，Ｇｂが質量分析装置１の外部に露出しない内部の位置であり、非測定位置Ｐ２はガス貯蔵容器Ｇａ，Ｇｂが外部に露出する位置である。これにより、外部に露出したガス貯蔵容器Ｇａ，Ｇｂの部分を操作可能となるため、ガス貯蔵容器Ｇａ，Ｇｂの着脱が容易になる。
【００２４】
（３）本実施形態の質量分析装置１において、移動機構１３は、測定位置Ｐ１と非測定位置Ｐ２との間で保持部１２ａ，１２ｂを移動可能に保持するガイドレール１３ａ，１３ｂを含む。これにより、適宜設計されたガイドレール１３ａ，１３ｂに沿って、ガス貯蔵容器Ｇａ，Ｇｂを移動させることができる。
【００２５】
（４）本実施形態の質量分析装置１において、ガイドレール１３ａ，１３ｂは、測定位置Ｐ１と非測定位置Ｐ２との間で保持部１２ａ，１２ｂを直動可能に保持する。これにより、簡便な操作により、ガス貯蔵容器Ｇａ，Ｇｂを移動させることができる。
【００２６】
（５）本実施形態の質量分析装置１において、移動機構１３は、複数の保持部１２ａ，１２ｂの移動を別々に行うように構成されている。第１の実施の形態では、ガイドレール１３ａ，１３ｂが複数のガス貯蔵容器Ｇａ，Ｇｂごとに別々に設けている。これにより、一方のガス貯蔵容器ＧａまたはＧｂが何らかの理由で、移動させられない場合等でも、他のガス貯蔵容器ＧａまたはＧｂを容易に着脱することができる。
【００２７】
（６）本実施形態の質量分析装置１は、質量分析計を備え、ガス導入室５がイオンを制御する電極を備える。本実施形態は、このように可搬式質量分析装置等に適用可能である。第１の実施の形態のような質量分析装置は、他の質量分析装置と比べて小型で軽量にすることができ、可搬性や設置の自由度の観点から、ガス貯蔵容器Ｇａ，Ｇｂを取り付けたまま用いる利点が多いため、上記（１）〜（５）等の効果がより好適に発揮される。
【００２８】
−第２の実施の形態−
第１の実施の形態では、格納部１００を、レギュレータ１１ａ，１１ｂの保持部１２ａ，１２ｂがガイドレール１３ａ，１３ｂ上を直線的に移動することで、レギュレータ１１ａ，１１ｂが測定位置Ｐ１と非測定位置Ｐ２との間を移動する構成とした。格納部１００は、保持部１２ａ，１２ｂを搖動可能にすることによりレギュレータ１１ａ，１１ｂが測定位置Ｐ１と非測定位置Ｐ２との間を移動する構成としてもよい。以下では、第２の実施の形態の質量分析装置１Ａの格納部を符号１０１として説明する。また、レギュレータ１１ａ，１１ｂを共通の符号１１とし、ガス貯蔵容器Ｇａ，Ｇｂを共通の符号Ｇとして説明する。
【００２９】
図４（Ａ）は、レギュレータ１１が測定位置Ｐ１に位置する場合の格納部１０１を示す斜視図であり、図４（Ｂ）は、レギュレータ１１が非測定位置Ｐ２にある場合の格納部１０１を示す斜視図である。測定位置Ｐ１および非測定位置Ｐ２は、レギュレータ１１およびガス貯蔵容器Ｇの長軸を用いて模式的に示した（図５も参照）。ガス貯蔵容器Ｇが装着されたレギュレータ１１は、質量分析装置１Ａの側面から外側へ搖動可能な保持部１２０に保持されている。
第２の実施の形態の格納部１０１は、２本のガス貯蔵容器Ｇがそれぞれ装着される２つのレギュレータ１１と、レギュレータ１１を保持する保持部１２０と、保持部１２０を揺動可能とするヒンジ機構１３０（図５参照）とを備える。
【００３０】
図５（Ａ）、（Ｂ）を参照して格納部１０１を詳細に説明する。
図５（Ａ）は、図４（Ａ）のＡ−Ａ断面図である。格納部１０１において、保持部１２０はヒンジ機構１３０と連結しており、ヒンジ機構１３０が図面に垂直な方向を軸として回転すると、保持部１２０もヒンジ機構１３０により回転する。
保持部１２０は、平板上の設置板１２１を有し、この設置板１２１の一方の面にレギュレータ１１が設置されている。図５（Ａ）においてレギュレータ１１の下側の端面にはガス導入ポートが設けられ、この導入ポートに雌ネジが形成され、この導入ポートにガス貯蔵容器Ｇがねじ込まれる。設置板１２１には、ガス通路となる貫通孔（不図示）が形成され、レギュレータ１１のガス導出ポートが貫通孔に密封状態で接続されている。設置板１２１のガス導出ポートに接続された貫通孔にはガス供給ライン１５が接続されている。ガス供給ライン１５はガス貯蔵容器ごとに別々に配設されている。
【００３１】
ガス貯蔵容器Ｇに貯蔵されたガスは、レギュレータ１１および保持部１２０を介し、ガス供給ライン１５に導入され、ガス導入室５（図１）に供給可能となる。ガス供給ライン１５は金属製または樹脂製の管を用いることができる。ガス供給ライン１５を金属製にする場合、図５に示したようにガス供給ライン１５を構成する金属管を複数回巻くと、柔軟性を高めることができるので好ましい。ガス供給ライン１５は金属管でありながら、レギュレータ１１の搖動を妨げることはない。
【００３２】
図５（Ｂ）は、ヒンジ機構１３０により保持部１２０が搖動してレギュレータ１１が非測定位置Ｐ２に移動したときの様子を示している。図５（Ｂ）は、図５（Ａ）と同じ位置の切断線による断面図である。ヒンジ機構１３０による回転により、保持部１２０、レギュレータ１１およびガス貯蔵容器Ｇは搖動し、装置の上下方向（図の上下方向）とθの角度をなして傾いている。この傾きは、レギュレータ１１を測定位置Ｐ１から非測定位置Ｐ２に揺動させる動作の過程で不図示のロック機構により固定される。逆に、レギュレータ１１を非測定位置Ｐ２から測定位置Ｐ１に揺動させる動作の過程で不図示のロック機構による固定は解除される。レギュレータ１１が非測定位置Ｐ２にある場合のヒンジ機構１３０による回転角θは、特に限定されず、例えば、１０度〜１７０度等の範囲で適宜設定することができる。
【００３３】
レギュレータ１１が測定位置Ｐ１に位置するとき、保持部１２０は質量分析装置１Ａの側面１０１Ａの一部を構成しており、レギュレータ１１は質量分析装置１Ａの表面１０１Ａに接近した位置にある。このとき、ガス貯蔵容器Ｇは、質量分析装置１Ａの側面１０１Ａに沿って配置されている。
【００３４】
レギュレータ１１が非測定位置Ｐ２に位置するときは、ガス貯蔵容器Ｇのレギュレータ１１と反対側の先端が、レギュレータ１１が測定位置Ｐ１にある場合と比較して、質量分析装置１Ａの表面から離れている。すなわち、レギュレータ１１は側面１０１Ａから離れた位置にある。レギュレータ１１が非測定位置Ｐ２にある場合には、測定位置Ｐ１にある場合と比べ、ガス貯蔵容器Ｇの周囲により広い空間があるため、ガス貯蔵容器Ｇの着脱が容易となる。
【００３５】
詳細に説明すると、図５（Ａ）に示すように、質量分析装置１Ａは格納部１０１を設置する空所を設けている。側面１０１Ａは、質量分析装置１Ａの筐体１０１Ｂの内部に形成される壁である。壁１０１Ａの上端部には上述したヒンジ機構１３０が設けられている。壁１０１Ａには、ヒンジ機構１３０による保持部１２０の搖動に伴うガス供給ライン１５の移動を妨げないように、開口１０１Ｃが設けられている。設置板１２１はレギュレータ１１が測定位置にいるときに、壁１０１Ａの開口１０１Ｃを塞ぐように構成されている。
【００３６】
図５（Ａ）に示す測定位置Ｐ１においては、開口１０１Ｃは設置板１２１で塞がれている。ガス供給ライン１５は壁１０１Ａの内側に位置している。図５（Ｂ）に示す非測定位置Ｐ２においては、設置板１２１が搖動するので開口１０１Ｃが開いている。ガス供給ライン１５は開口１０１Ａを、すなわち壁１０１Ａを貫通して空所側まで移動している。すなわち、ガス供給ライン１５は壁１０１Ａの外側に位置している。
【００３７】
第２の実施の形態の質量分析装置１Ａでは、レギュレータ１１が測定位置Ｐ１に位置するとき、レギュレータ１１は質量分析装置１Ａの筐体１０１Ｂの側面１０１Ａに近接した壁表面の位置に設けられている。レギュレータ１１が非測定位置Ｐ２に位置するとき、ガス貯蔵容器Ｇの少なくとも一端が、測定位置Ｐ１と比較して側面１０１Ａの表面から離れる位置に位置する。これにより、質量分析装置１Ａの側面１０１Ａの外表面とガス貯蔵容器Ｇの一端との間に空間があるため、ガス貯蔵容器Ｇの着脱作業空間を確保でき、その結果、ガス貯蔵容器Ｇを容易に着脱することができる。
なお、レギュレータ１１が測定位置Ｐ１に位置するとき、筐体１０１Ｂの側面１０１Ａとレギュレータ１１の距離は、５ｃｍ以下が好ましく、２ｃｍ以下がさらに好ましい。
【００３８】
第２の実施の形態の質量分析装置１Ａは、測定位置Ｐ１と非測定位置Ｐ２との間で保持部１２０を搖動可能に保持するヒンジ機構１３０を備えており、このヒンジ機構１３０が揺動機構、すなわち移動機構を構成する。第２の実施の形態の質量分析装置１Ａにおいても、移動機構１３により、簡便な操作により、ガス貯蔵容器Ｇを移動させることができる。
【００３９】
次のような変形も本発明の範囲内であり、上述の実施形態と組み合わせることが可能である。以下の変形例において、上述の実施形態と同様の構造、機能を示す部位に関しては、同一の符号で参照し、適宜説明を省略する。
【００４０】
（第１変形例）
上述の第２の実施の形態のヒンジ機構１３０をガイドレール１３に沿って移動可能に保持することにより、ガイドレール１３に沿った移動と、ヒンジ機構１３０による搖動とを組み合わせてレギュレータ１１が測定位置Ｐ１と非測定位置Ｐ２との間を移動可能にしてもよい。
【００４１】
本変形例の質量分析装置において、移動機構は、ガイドレール１３およびヒンジ機構１３０を備え、ガイドレール１３に保持されたヒンジ機構１３０の移動と、ヒンジ機構１３０に保持された保持部１２（１２０）の搖動とにより、レギュレータ１１が測定位置Ｐ１と非測定位置Ｐ２との間で移動する。これにより、測定位置Ｐ１から、様々な位置の非測定位置Ｐ２へとレギュレータ１１を移動させることができる。
【００４２】
なお、本発明は、ガス貯蔵容器を取り付ける分析装置であれば、質量分析計を備えないものにも適用でき、分析装置の種類は特に限定されない。
本発明は上記実施形態の内容に限定されるものではない。本発明の技術的思想の範囲内で考えられるその他の態様も本発明の範囲内に含まれる。
【符号の説明】
【００４３】
１，１Ａ…質量分析装置、５…ガス導入室、１１，１１ａ，１１ｂ…レギュレータ、１２，１２０…保持部、１３…移動機構、１３ａ，１３ｂ…ガイドレール、１００，１０１…格納部、１０１Ａ…側面、１０１Ｂ…筐体、１０１Ｃ…開口、１２１…設置板、１３０…ヒンジ機構、Ｇ，Ｇａ，Ｇｂ…ガス貯蔵容器、Ｐ１…測定位置、Ｐ２…非測定位置。
【図１】
2019007819.tif 000003
【図２】
2019007819.tif 000004
【図３】
2019007819.tif 000005
【図４】
2019007819.tif 000006
【図５】
2019007819.tif 000007